(57)【要約】  本発明による、宅内に位置しているデバイスを宅内に構築された無線ネットワークに登録する方法において、宅内に設けられた少なくとも一つの照明装置から宅内に構築された無線ネットワークの識別情報を含む光信号を受信する段階と、受信された光信号に含まれたネットワークの識別情報を用いて宅内に構築されたネットワークに登録する段階と、を含む。
2014509154.tif 000002
【特許請求の範囲】
【請求項１】
宅内に位置しているデバイスを前記宅内に構築された無線ネットワークに登録する方法において、
前記宅内に設けられた少なくとも一つの照明装置から、前記宅内に構築された無線ネットワークの識別情報を含む光信号を受信する段階と、
前記受信された光信号に含まれたネットワークの識別情報を用いて前記宅内に構築されたネットワークに登録される段階と、を含む登録方法。
【請求項２】
前記デバイスの現在位置で可用の少なくとも一つのネットワークをスキャンする段階をさらに含み、
前記ネットワークに登録される段階は、前記スキャンされたネットワークのうち前記受信された光信号に含まれたネットワークの識別情報に対応するネットワークに登録されることを特徴とする請求項１に記載の接続方法。
【請求項３】
前記光信号は、前記光信号を送出する照明装置の位置情報をさらに含み、
前記デバイスの前記ネットワークへの登録が完了すれば、前記光信号に含まれた位置情報を前記ネットワークに伝送することを特徴とする請求項１に記載の接続方法。
【請求項４】
前記光信号を受信する段階は、前記宅内に設けられた少なくとも一つの照明装置に光信号要請を伝送し、前記光信号要請に応じて前記照明装置が送出した光信号を受信することを特徴とする請求項１に記載の接続方法。
【請求項５】
宅内に構築された無線ネットワークに登録するためのデバイスにおいて、
前記宅内に設けられた少なくとも一つの照明装置から送出された光信号を受信する光受信部と、
前記受信した光信号を解釈して前記宅内に構築された無線ネットワークの識別情報を得る光信号解釈部と、
前記ネットワークの識別情報を用いて前記宅内に構築されたネットワークに登録する無線通信部と、を備えるデバイス。
【請求項６】
前記デバイスの現在位置で可用の少なくとも一つの無線ネットワークをスキャンするネットワークスキャン部をさらに備え、
前記無線通信部は、前記ネットワークスキャン部でスキャンされた無線ネットワークのうち、前記光信号解釈部で得たネットワーク識別情報に対応するネットワークに登録することを特徴とする請求項５に記載のデバイス。
【請求項７】
前記光信号解釈部は、前記受信した光信号を解釈して前記光信号を送出した照明装置の位置情報を得て、前記無線通信部は、前記照明装置の位置情報を前記ネットワークに伝送することを特徴とする請求項５に記載のデバイス。
【請求項８】
前記無線通信部は、前記宅内に設けられた少なくとも一つの照明装置に光信号を要請することを特徴とする請求項５に記載のデバイス。
【請求項９】
宅内に設けられる照明装置において、
光を生成する光生成部と、
前記光生成部の光生成を制御することで前記光の輝度を調節する制御部を備え、
前記制御部は、前記宅内に構築された無線ネットワークの識別情報を示すパターンで前記光のオン／オフを制御する照明装置。
【請求項１０】
前記光のオン／オフ周波数は、ユーザによって認識されられない点滅周波数以上である請求項９に記載の照明装置。
【請求項１１】
前記無線ネットワークの識別情報を外部から受信する通信部をさらに備える請求項９に記載の照明装置。
【請求項１２】
宅内に構築された無線ネットワークシステムにおいて、
前記宅内に設けられ、前記宅内に構築された無線ネットワークの識別情報を含む光信号を送出する照明装置と、
前記光信号を受信したデバイスから登録要請を受信するゲートウェイと、
前記接続要請に応じて前記デバイスの登録を許容するサーバと、を備える無線ネットワークシステム。
【請求項１３】
前記光信号は、前記光信号を送出した照明装置の位置情報をさらに含み、
前記サーバは、前記登録を許容したデバイスから前記照明装置の位置情報を受信し、これを前記デバイスに関する位置情報として保存することを特徴とする請求項１２に記載の無線ネットワークシステム。
【請求項１４】
前記サーバは、前記宅内に設けられた少なくとも一つの照明装置に、前記宅内に構築された無線ネットワークの識別情報を伝送することを特徴とする請求項１２に記載の無線ネットワークシステム。
【請求項１５】
前記照明装置は、デバイスが光信号を要請する場合に光信号を送出することを特徴とする請求項１２に記載の無線ネットワークシステム。
【発明の詳細な説明】
【技術分野】
【０００１】
無線デバイスを無線ネットワークに登録する方法及びその方法を行うための無線ネットワークシステム及び無線デバイスに関する。
【背景技術】
【０００２】
無線ネットワークの重要度は益々高まりつつあり、その適用分野も非常に多様である。特に、近距離無線個人通信網（ｗｉｒｅｌｅｓｓ  ｐｅｒｓｏｎａｌ  ａｒｅａ  ｎｅｔｗｏｒｋｓ、ＷＰＡＮ）及び無線センサーネットワーク（ｗｉｒｅｌｅｓｓ  ｓｅｎｓｏｒ  ｎｅｔｗｏｒｋ、ＷＳＮ）関連技術の発達につれて、宅内情報を自動で収集して統合管理するホームネックワーク構築についての研究も活発に行われている。このようなホームネットワークを構築するためには、宅内の各種電子製品などをネットワークに連結して統合して管理せねばならない。よって、各種デバイスを無線ネットワークに登録する方法及び接続されたデバイスを管理する方法についての開発の必要性が高い。
【発明の概要】
【発明が解決しようとする課題】
【０００３】
宅内に設けられた照明を用いて別途の登録手続きなしに簡単にデバイスを無線ネットワークに登録させうる無線ネットワークシステム、無線デバイス及び無線デバイスのネットワーク登録方法を提供する。
【課題を解決するための手段】
【０００４】
前記技術的課題を解決するための本発明の一実施形態による、宅内に位置しているデバイスを前記宅内に構築された無線ネットワークに登録する方法は、前記宅内に設けられた少なくとも一つの照明装置から、前記宅内に構築された無線ネットワークの識別情報を含む光信号を受信する段階と、前記受信された光信号に含まれたネットワークの識別情報を用いて前記宅内に構築されたネットワークに登録される段階と、を含む。
【０００５】
前記技術的課題を解決するための本発明の他の実施形態による、宅内に構築された無線ネットワークに登録するためのデバイスは、前記宅内に設けられた少なくとも一つの照明装置から送出された光信号を受信する光受信部と、前記受信した光信号を解釈して前記宅内に構築された無線ネットワークの識別情報を得る光信号解釈部と、前記ネットワークの識別情報を用いて前記宅内に構築されたネットワークに登録する無線通信部と、を備える。
【０００６】
前記技術的課題を解決するための本発明のさらに他の実施形態による、宅内に設けられる照明装置は、光を生成する光生成部と、前記光生成部の光生成を制御することで前記光の輝度を調節する制御部を備え、前記制御部は、前記宅内に構築された無線ネットワークの識別情報を示すパターンで前記光のオン／オフを制御する。
【０００７】
前記技術的課題を解決するための本発明のさらに他の実施形態による、宅内に構築された無線ネットワークシステムは、前記宅内に設けられ、前記宅内に構築された無線ネットワークの識別情報を含む光信号を送出する照明装置と、前記光信号を受信したデバイスから登録要請を受信するゲートウェイと、前記接続要請に応じて前記デバイスの登録を許容するサーバと、を備える。
【発明の効果】
【０００８】
それぞれのデバイスがネットワーク識別情報を含む光信号を受信し、自動で接続要請を行うことで、別途の登録手続きなしにデバイスに電源を印加するだけでも、簡単にデバイスを無線ネットワークに登録させられる。
【０００９】
また、デバイスの位置情報を無線ネットワークに自動で伝送でき、もし、デバイスの位置が変わった場合には、変わった位置情報を無線ネットワークに自動で伝送可能になる。よって、無線ネットワークに連結されたデバイスを簡単かつ効率的に管理できるという利点がある。
【図面の簡単な説明】
【００１０】
【図１】本発明の一実施形態による無線ネットワークシステムを示す図面である。
【図２】本発明の他の実施形態による無線ネットワークシステムで光信号を送出するための照明装置の具体的な構成を示す図面である。
【図３】本発明のさらに他の実施形態による無線デバイスが２つ以上のネットワークに接続可能な位置に載置された状態を示す図面である。
【図４】本発明のさらに他の実施形態による無線ネットワークシステムにおける信号のフローを示す図面である。
【図５】本発明のさらに他の実施形態による無線ネットワークシステムにおける信号のフローを示す図面である。
【図６】本発明のさらに他の実施形態による無線デバイスの具体的な構成を示す図面である。
【図７】本発明のさらに他の実施形態による無線ネットワークシステムの登録方法を説明するためのフローチャートである。
【図８】本発明のさらに他の実施形態による無線ネットワークシステムの登録方法を説明するためのフローチャートである。
【発明を実施するための形態】
【００１１】
前記技術的課題を解決するための本発明の一実施形態による、宅内に位置しているデバイスが前記宅内に構築された無線ネットワークに登録する方法は、前記宅内に設けられた少なくとも一つの照明装置から、前記宅内に構築された無線ネットワークの識別情報を含む光信号を受信する段階と、前記受信された光信号に含まれたネットワークの識別情報を用いて前記宅内に構築されたネットワークに登録する段階と、を含む。
【００１２】
前記デバイスの現在位置で可用の少なくとも一つのネットワークをスキャンする段階をさらに含み、前記ネットワークに登録する段階は、前記スキャンされたネットワークのうち、前記受信された光信号に含まれたネットワークの識別情報に対応するネットワークに登録することである。
【００１３】
前記光信号は、前記光信号を送出する照明装置の位置情報をさらに含み、前記デバイスの前記ネットワークへの登録が完了すれば、前記光信号に含まれた位置情報を前記ネットワークに伝送する。
【００１４】
前記光信号を受信する段階は、前記宅内に設けられた少なくとも一つの照明装置に光信号要請を伝送し、前記光信号要請に応じて前記照明装置が送出した光信号を受信することである。
【００１５】
前記技術的課題を解決するための本発明の他の実施形態による、宅内に構築された無線ネットワークに登録するためのデバイスは、前記宅内に設けられた少なくとも一つの照明装置から送出された光信号を受信する光受信部と、前記受信した光信号を解釈して前記宅内に構築された無線ネットワークの識別情報を得る光信号解釈部と、前記ネットワークの識別情報を用いて前記宅内に構築されたネットワークに登録する無線通信部と、を備える。
【００１６】
前記デバイスの現在位置で可用の少なくとも一つの無線ネットワークをスキャンするネットワークスキャン部をさらに備え、前記無線通信部は、前記ネットワークスキャン部でスキャンされた無線ネットワークのうち、前記光信号解釈部で得たネットワーク識別情報に対応するネットワークに登録する。
【００１７】
前記光信号解釈部は、前記受信した光信号を解釈して前記光信号を送出した照明装置の位置情報を得て、前記無線通信部は、前記照明装置の位置情報を前記登録したネットワークに伝送する。
【００１８】
前記無線通信部は、前記宅内に設けられた少なくとも一つの照明装置に光信号を要請する。
【００１９】
前記技術的課題を解決するための本発明のさらに他の実施形態による、宅内に設けられる照明装置は、光を生成する光生成部と、前記光生成部の光生成を制御することで前記光の輝度を調節する制御部と、を備え、前記制御部は、前記宅内に構築された無線ネットワークの識別情報を示すパターンで前記光のオン／オフを制御する。
【００２０】
前記光のオン／オフ周波数は、ユーザによって認識されられない点滅周波数以上である。
【００２１】
前記無線ネットワークの識別情報を外部から受信する通信部をさらに備える。
【００２２】
前記技術的課題を解決するための本発明のさらに他の実施形態による、宅内に構築された無線ネットワークシステムは、前記宅内に設けられ、前記宅内に構築された無線ネットワークの識別情報を含む光信号を送出する照明装置と、前記光信号を受信したデバイスから登録要請を受信するゲートウェイと、前記登録要請に応じて前記デバイスの登録を許容するサーバと、を備える。
【００２３】
前記光信号は、前記光信号を送出した照明装置の位置情報をさらに含み、前記サーバは接続を許容したデバイスから前記照明の位置情報を受信し、これを前記デバイスに関する位置情報として保存する。
【００２４】
前記サーバは、前記宅内に設けられた少なくとも一つの照明装置に、前記宅内に構築された無線ネットワークの識別情報を伝送する。前記照明装置は、デバイスが光信号を要請する場合に光信号を送出する。
【００２５】
以下、図面を参照して本発明の実施形態を詳細に説明する。本実施形態の特徴をさらに明白に説明するために、以下の実施形態が属する技術分野での当業者に広く知られている事項については、詳細な説明は略する。
【００２６】
図１は、本発明の一実施形態による無線ネットワークシステムを示す図面である。図１を参照すれば、本発明の一実施形態による無線ネットワークシステムは、宅内１００に設けられた複数の照明装置１１０ａ、１１０ｂ、１１０ｃ、ゲートウェイ１３０及びサーバ１４０を備える。
【００２７】
宅内１００に設けられた複数の照明装置１１０ａ、１１０ｂ、１１０ｃは、無線ネットワークに登録するためのデバイス１２０ａ、１２０ｂ、１２０ｃ、１２０ｄに情報が含まれた光信号を送出する。この時、光信号に含まれる情報は、無線ネットワークを識別するためのネットワーク識別情報、またはネットワーク識別情報及び照明装置１１０ａ、１１０ｂ、１１０ｃの位置に関する位置情報である。このように宅内１００に設けられた照明装置１１０ａ、１１０ｂ、１１０ｃを用いて、ネットワーク識別情報及び位置情報を含む光信号をデバイス１２０ａ、１２０ｂ、１２０ｃ、１２０ｄに送出することで、さらに光信号を送出する手段を備える必要なしに既に構築されたインフラを活用できる長所がある。また、照明装置１１０ａ、１１０ｂ、１１０ｃを通じて光信号を送出しても、一般照明としての機能を行うのに全く問題がないが、これについては、以下の図２についての説明部分で説明する。
【００２８】
ゲートウェイ１３０及びサーバ１４０は、無線ネットワークを構築するための構成であり、図１では外部にあると示したが、宅内１００に位置して無線ネットワークを構成及び管理してもよい。
【００２９】
無線ネットワークに接続するためのデバイス１２０ａ、１２０ｂ、１２０ｃ、１２０ｄは、宅内１００のそれぞれ他の位置に設けられて運用される。宅内１００の各位置に設けられたデバイス１２０ａ、１２０ｂ、１２０ｃ、１２０ｄは、該位置で受信可能な光信号を受信する。そして、受信した光信号に含まれた情報を用いて無線ネットワークに登録するか、または位置情報をネットワークに伝送する。
【００３０】
例えば、デバイスＤ  １２０ｄが居間に新たに設けられて無線ネットワークに登録される過程を説明すれば、次の通りである。デバイスＤ  １２０ｄは、電源が印加されれば、接続可能な無線ネットワークがあるかどうかをスキャンし、居間に位置している照明装置１１０ｃが送出した光信号を受信する。光信号を受信したデバイスＤ  １２０ｄは、受信した光信号を解釈して光信号に含まれたネットワーク識別情報または照明装置１１０ｃの位置情報が分かる。この時、ネットワーク識別情報は、該無線ネットワークを識別するためのＰＡＮ（Ｐｅｒｓｏｎａｌ  Ａｒｅａ  Ｎｅｔｗｏｒｋ）ＩＤであり、照明装置１１０ｃの位置情報は、該照明が位置している場所に関する情報、すなわち、居間に位置している照明装置１１０ｃの場合、“居間”である。デバイスＤ  １２０ｄは、受信した光信号に含まれたネットワーク識別情報に対応する無線ネットワークに登録を試み、登録が完了すれば、受信した光信号に含まれた位置情報、すなわち“居間”を、接続されたネットワークに伝送する。具体的に、ネットワーク識別情報によって把握された無線ネットワークのゲートウェイ１３０に登録要請を伝送すれば、ゲートウェイ１３０は、デバイスＤ  １２０ｄにアドレスを割り当ててデバイスＤ  １２０ｄの登録を完了する。すなわち、別途の登録手続きなしにデバイスＤ  １２０ｄは自動で登録すべき無線ネットワークを認識し、これに登録を試みることで登録がなされる。また、登録が完了したデバイスＤ  １２０ｄは、受信した光信号に含まれた位置情報（“居間”）をゲートウェイ１３０に伝送すれば、ゲートウェイ１３０は、これをサーバ１４０に伝送し、サーバ１４０は、これをデバイスＤ  １２０ｄに関する位置情報として保存する。
【００３１】
前記のように既存に構築されているインフラである宅内１００の照明装置１１０ａ、１１０ｂ、１１０ｃを用いて、ネットワーク識別情報及び位置情報を含む光信号を送出し、これを受信したデバイス１２０ａ、１２０ｂ、１２０ｃ、１２０ｄが受信した光信号に含まれたネットワーク識別情報を用いて無線ネットワークに登録し、位置情報を伝送することで、別途の登録手続きなしにデバイス１２０ａ、１２０ｂ、１２０ｃ、１２０ｄに電源を印加するだけで、簡単にデバイス１２０ａ、１２０ｂ、１２０ｃ、１２０ｄを無線ネットワークに登録する。このような無線ネットワークシステムは、特にデバイスのネットワーク登録が容易でなければならず、ネットワークに接続された各デバイスの位置情報を必要とするスマートグリッドシステムでその活用度が高い。また、無線ネットワークを具現するための通信方式において、デバイスから少容量のデータを随時に受信せねばならないホームネットワークの特性上、ジグビー方式を適用する。しかし、これに限定されるものではなく、他の形態のホームネットワークシステムまたは他の方式の無線通信方式にも適用できるということがいうまでもない。
【００３２】
図２は、本発明の他の実施形態による無線ネットワークシステムで、光信号を送出するための照明装置１１０の具体的な構成を示す図面である。図２を参照すれば、本発明の一実施形態による無線ネットワークシステムで、光信号を送出するための照明装置１１０は、制御部１１２及び光生成部１１４を備える。
【００３３】
制御部１１２は、任意のデータを含む光信号を発生させるための制御を行う。このような制御部１１２は、光生成部１１４に電源を供給するためのスイッチングモード電源供給器（ｓｗｉｔｃｈｅｄ−ｍｏｄｅ  ｐｏｗｅｒ  ｓｕｐｐｌｙ、ＳＭＰＳ）で具現される。具体的に制御部１１２は、光生成部１１４で生成される光のオン／オフを一定周波数に制御することで光の輝度を制御すると共に、無線ネットワークの識別情報を示すパターンの形態で光を生成する。この時、制御部１１２は、光のオン／オフ周波数を、ユーザが認識できないほど高い周波数で生成するように制御することで、照明装置１１０をして一般照明としての機能を行わせる。本実施形態の照明装置１１０をディミング（ｄｉｍｍｉｎｇ）制御の可能なＬＥＤ照明と仮定して説明すれば、制御部１１２は、光生成部１１４で一定パターンを持つ形態で光が発生されるようにＬＥＤ照明のディミングを制御する。すなわち、無線ネットワークを識別するためのネットワーク識別情報またはＬＥＤ照明の位置情報を含むようにパターン化された光を発生させる。この時、人が照明のフリッカーを認知できない２００Ｈｚ以上の周波数でディミング制御を行うことで、ＬＥＤ照明は特定情報を含む光信号を送出するが、一般照明としての機能を行うのには問題ない。また、ディミング制御により特定情報を含む光信号を送出しつつも照明を所望の輝度に調整できる。
【００３４】
図２に示したように、本発明のさらに他の実施形態による無線ネットワークシステムで光信号を送出するための照明装置１１０は、通信部１１１をさらに備えてもよい。通信部１１１は、宅内に構築された無線ネットワークの識別情報を無線ネットワークシステムのサーバから伝送され、これを制御部１１２に出力することで、制御部１１２は、宅内に構築された無線ネットワークの識別情報を含む光信号を生成するように光生成部１１４を制御する。
【００３５】
図３は、本発明のさらに他の実施形態による無線デバイスが２つ以上のネットワークに接続可能な位置に載置された状態を示す図面である。図３を参照すれば、デバイス１２０は、２つの無線ネットワーク、すなわち、ネットワーク１及びネットワーク２に接続できる位置に存在する。よって、デバイス１２０が接続可能なネットワークをスキャンすれば、ネットワーク１及びネットワーク２がいずれもスキャンされる。しかし、デバイス１２０が登録せねばならないネットワークがネットワーク２と仮定すれば、デバイス１２０は、ネットワーク２を特定して登録要請を伝送せねばならないが、デバイス１２０が登録されねばならないネットワークに関する情報が保存されていない場合ならば、ユーザが一々手作業でネットワーク２を指定せねばならない。ところで、本実施形態によれば、デバイス１２０は登録せねばならないネットワークであるネットワーク２に関するネットワーク識別情報を含む光信号を受信し、これを解釈することで検索されたネットワーク（ネックワーク１及びネットワーク２）のうち、ネットワーク２を指定して登録要請できる。この時、光信号に含まれたネットワーク識別情報を用いて登録するネットワークを指定するため、ユーザがこれを一々指定する必要がない。また、同時にいろいろなネットワークに接続可能な位置にデバイス１２０が載置された場合であっても、デバイス１２０は登録せねばならないネットワークを正確に指定して登録できる。よって、隣に構築された無線ネットワークと混同して間違った無線ネットワークに登録することを防止する。このような長所は、特に２．４ＧＨｚの高い波長帯を使うジグビー方式などにおいてその効用性が高い。
【００３６】
図４は、本発明のさらに他の実施形態による無線ネットワークシステムにおける信号のフローを示す図面であり、図５は、本発明のさらに他の実施形態による無線ネットワークシステムにおける信号のフローを示す図面である。照明装置１１０は、一般的に昼間には駆動されないなど、常に光信号を送出できないという問題点がある。また、照明装置１１０の駆動中には常に光信号を送出するようにすれば、光信号の不要な瞬間にもこれを生成するために電力が無駄使いになり、照明の効率性が落ちるという問題点がある。このような問題点を解決するために、光信号への要請がある場合にのみ光信号を送出する方法を提示しようとする。図４では、照明装置１１０の駆動中に常に光信号を送出する実施形態を示し、図５では、光信号への要請がある場合にのみ光信号を送出する実施形態を示した。
【００３７】
図４を参照すれば、照明装置１１０は、別途の要請なしに常に光信号を送出する。そうすれば、これを受信したデバイス１２０は、ゲートウェイ１３０に登録要請を行い、ゲートウェイ１３０は、デバイス１２０から登録要請を受信すれば、デバイス１２０にアドレスを割り当てる。そして、デバイス１２０は、無線ネットワークへの登録が完了すれば、受信した光信号に含まれた位置情報を無線ネットワークに伝送する。
【００３８】
これに対し、図５を参照すれば、照明装置１１０は、別途の要請がなければ光信号を送出しない。デバイス１２０は、無線ネットワークに登録するための情報を得るために、ゲートウェイ１３０に光信号要請信号を伝送する。これを受信したゲートウェイ１３０は、照明装置１１０に光信号要請信号を伝達し、光信号要請信号を受信した照明装置１１０は光信号を送出する。以後の過程は、図４でデバイス１２０が光信号を受信した以後と同一である。このように、デバイス１２０から光信号要請信号があった場合にのみ照明装置１１０は光信号を送出することで、不要な光信号の送出を防止し、照明が動作していない場合にも光信号要請に応じて一時的に光信号を送出させる。この時、光信号要請を伝送するためのゲートウェイ１３０と照明装置１１０との通信連結は、有線または無線のいかなる通式方式によっても可能であり、特に、照明装置１１０に連結された電力線を用いて信号を伝送する電力線通信によってもよい。
【００３９】
図６は、本発明のさらに他の実施形態による無線デバイス１２０の具体的な構成を示す図面である。図６を参照すれば、本発明の他の実施形態による無線デバイス１２０は、光受信部１２１、光信号解釈部１２２、ネットワークスキャン部１２３及び無線通信部１２４を備える。光受信部１２１は、光信号を受信し、したがって、光センサーなどで構成される。光信号解釈部１２２は、光受信部１２１で受信した光信号に含まれた情報を解釈する機能を行える。すなわち、光信号解釈部１２２で受信した光信号を解釈することで、光信号に含まれたネットワーク識別情報または位置情報を得る。ネットワークスキャン部１２３は、デバイス１２０の位置で接続可能な無線ネットワークを検索する機能を行う。このようにネットワークスキャン部１２３でスキャンされた接続可能な無線ネットワークのうち、光信号解釈部１２２で光信号を解釈して得たネットワーク識別情報と一致する無線ネットワークがあれば、無線通信部１２４は該ネットワークに登録要請を行える。無線通信部１２４はまた、デバイス１２０が無線ネットワークに登録された場合、光信号解釈部１２２で光信号を解釈して得る位置情報を該ネットワークに伝送する。また、無線通信部１２４は、無線ネットワークシステムに光信号の送出を要請することもできる。
【００４０】
図７は、本発明のさらに他の実施形態による無線ネットワークシステムの登録方法を説明するためのフローチャートである。特に、図７は、本発明のさらに他の実施形態による無線ネットワークシステムの登録方法を、ネットワークシステムで行われる段階を中心として構成したフローチャートである。図７を参照すれば、本発明のさらに他の実施形態による無線ネットワークシステムの登録方法は、光信号要請を受信する段階（Ｓ７０１）から始まる。勿論、光信号要請を受信する段階は、必要に応じて省略されてもよく、これは前記図４及び図５の説明部分で調べた通りである。本発明のさらに他の実施形態による無線ネットワークシステムは、光信号要請を受信する場合にネットワーク識別情報及び位置情報を含む光信号を送出する（Ｓ７０３）。そして、光信号を受信したデバイスからネットワークへの登録要請を受信し（Ｓ７０５）、該デバイスにアドレスを割り当てることでデバイスの登録を完了する（Ｓ７０７）。登録が完了したデバイスから位置情報を受信すれば（Ｓ７０９）、システムにデバイスに関する位置情報が保存されているかどうかを判断した後（Ｓ７１１）、保存されていなければ、受信した位置情報をデバイスに関する位置情報として保存する位置情報更新段階（Ｓ７１５）を行う。逆に、システムにデバイスに関する位置情報が既に保存されているならば、保存されたデバイスに関する位置情報が受信した位置情報と一致するかどうかを判断する段階（Ｓ７１３）に進む。判断結果、保存されたデバイスに関する位置情報が受信した位置情報と一致するならば、段階を終了し、保存されたデバイスに関する位置情報が受信した位置情報と一致していなければ、位置情報更新段階（Ｓ７１５）を行い、受信した位置情報をデバイスに関する新たな位置情報として保存する。このように、デバイスが無線ネットワークに登録される度にデバイスに関する位置情報を確認して更新することで、宅内でデバイスが位置を移動して新たに設けられた場合にも、別途の位置情報修正作業なしに正確な位置情報を把握できる。
【００４１】
図８は、本発明のさらに他の実施形態による無線ネットワークシステムの登録方法を説明するためのフローチャートである。特に、図８は、本発明のさらに他の実施形態による無線ネットワークシステムの登録方法を、デバイスで行われる段階を中心として構成したフローチャートである。図８を参照すれば、本発明のさらに他の実施形態による無線ネットワークシステムの登録方法は、デバイスに電源を印加することで始まる（Ｓ８０１）。デバイスは、電源が印加されれば自動で接続可能な無線ネットワークをスキャンする（Ｓ８０３）。前記Ｓ８０３段階を行ってスキャンされた無線ネットワークのうちいかなる無線ネットワークに登録するかを判断するためには、登録せねばならないネットワークについてのネットワーク識別情報が必要である。よって、デバイスは、ネットワーク識別情報を得るためにネットワーク識別情報を含む光信号を要請する信号を伝送できる（Ｓ８０５）。勿論、光信号要請信号を伝送する段階は必要に応じて省略されてもよく、これは、前記図４及び図５の説明部分で調べた通りである。光信号要請信号に対応して光信号が送出されれば、デバイスはこれを受信し、受信した光信号に含まれた情報を解釈する（Ｓ８０７）。デバイスは光信号を解釈した結果、ネットワーク識別情報及び位置情報を得る。次いで、デバイスは、光信号を解釈して得たネットワーク識別情報と一致する無線ネットワークが、前記Ｓ８０３段階で検索された接続可能な無線ネットワークのうちにあるかどうかを確認し、一致する無線ネットワークがあれば、該無線ネットワークに登録を要請する（Ｓ８０９）。登録要請を行った無線ネットワークシステムからアドレスを割り当てられることで、該無線ネットワークへの登録が完了する（Ｓ８１１）。登録が完了すれば、デバイスは、受信した光信号を解釈して得た位置情報を、接続された無線ネットワークに伝送する（Ｓ８１３）。
【００４２】
これまで本発明についてその望ましい実施形態を中心として説明した。当業者ならば、本発明の本質的な特性から逸脱しない範囲で変形された形態で具現できるということを理解できるであろう。したがって、開示された実施形態は限定的な観点ではなく、説明的な観点で考慮されねばならない。本発明の範囲は前述した説明ではなく特許請求の範囲に示されており、それと同等な範囲内にあるあらゆる差は、本発明に含まれていると解釈されねばならない。
【図１】
2014509154.tif 000003
【図２】
2014509154.tif 000004
【図３】
2014509154.tif 000005
【図４】
2014509154.tif 000006
【図５】
2014509154.tif 000007
【図６】
2014509154.tif 000008
【図７】
2014509154.tif 000009
【図８】
2014509154.tif 000010
【国際調査報告】
2014509154.tif 000011
2014509154.tif 000012